(57)【要約】【課題】エンボスエリアに、エンボス形状との干渉を生じることなくＬＰＰ形成した記録媒体を提供する。【解決手段】情報記録媒体上にグルーブトラックとランドトラックとが交互に螺旋状に形成され、グルーブトラックに隣接するランドトラック上には、ディスク上のトラックの位置情報等を示すプリ情報がプリピットの形態で形成される。また、情報記録媒体上には、例えば著作権情報、不正コピー防止のための情報などを書換不能に記録するためのエンボスエリアが形成される。エンボスエリア内には、所定深さのピット及びスペースからなるエンボス形状が形成される。ここで、エンボスエリア内に形成されるプリピットは、当該プリピットが隣接するエンボスエリア内のピット又はスペースの長さに応じて最適化された形状を有するように形成される。これにより、エンボスエリア内にエンボス形状に加えてプリピットを形成した場合でも、エンボス形状とプリピットとの干渉を防止することができる。【選択図】      図２
2004158068.tif 000002
【特許請求の範囲】
【請求項１】
グルーブと、該グルーブに隣接するプリピットとが形成された情報記録媒体において、
前記グルーブは、所定深さのピット及びスペースからなるエンボス形状が形成されたエンボスエリアを備え、
前記エンボスエリア内における前記プリピットは、当該プリピットが隣接する前記ピットの長さ又は前記スペースの長さに応じて最適化された形状を有することを特徴とする情報記録媒体。
【請求項２】
前記最適化された形状は、前記グルーブの長さ方向に垂直な方向における前記プリピットの長さを示すプリピットシフト、及び、前記プリピットの深さにより規定されることを特徴とする請求項１に記載の情報記録媒体。
【請求項３】
前記プリピットシフトは前記エンボスエリア内の全ての前記ピットの長さ又は前記スペースの長さに対して一定に決定されており、前記プリピットの深さは前記エンボスエリア内の前記ピットの長さ又は前記スペースの長さに応じて決定されていることを特徴とする請求項２に記載の情報記録媒体。
【請求項４】
前記プリピットの前記最適化された形状は、前記プリピットにより生じるＲＦ信号の歪みが最小となる形状であることを特徴とする請求項１乃至３のいずれか一項に記載の情報記録媒体。
【発明の詳細な説明】
【０００１】
【発明の属する技術分野】
本発明は、ＣＤ、ＤＶＤなどに代表される情報記録媒体に関する。
【０００２】
【従来の技術】
情報の追記又は書き換えが可能な情報記録媒体として、ＣＤ−Ｒ（Ｃｏｍｐａｃｔ  Ｄｉｓｃ−Ｒｅｃｏｒｄａｂｌｅ）、ＤＶＤ−Ｒ（ＤＶＤ−Ｒｅｃｏｒｄａｂｌｅ）、ＤＶＤ−ＲＷ（ＤＶＤ−Ｒｅｗｒｉｔａｂｌｅ）などのディスクが知られている。
【０００３】
これらのディスクには、未記録領域に情報を記録するために、ディスク半径方向に僅かに揺動（ウォブリング）されたグルーブトラック（記録用トラック）が予め形成されている。グルーブトラックは、ディスク上のトラックの位置情報等を示すプリ情報で所定の周波数を有する搬送波をＦＭ変調したウォブル信号に応じてディスク上に形成されている。
【０００４】
かかるグルーブトラックからウォブル信号を抽出するには、照射した光ビームのグルーブトラックからの反射光を、グルーブトラックの接線方向と光学的に平行な分割線で２分割されたフォトディテクタで受光し、各ディテクタからの出力の差分を取り、かかる差分信号を上記所定の周波数を中心周波数とするＢＰＦ（Ｂａｎｄ  Ｐａｓｓ  Ｆｉｌｔｅｒ）に供給する。
【０００５】
上述のディスクは、ＢＰＦを介して抽出されたウォブル信号の平均周波数が、上記所定の周波数となるように回転制御される。この際、抽出されたウォブル信号（以下、「抽出ウォブル信号」と呼ぶ。）は、記録用クロック信号を生成するための基準信号としても利用される。つまり、抽出ウォブル信号は、ディスクの回転に同期した周波数成分を有する連続信号であり、かかる連続信号に位相同期したクロック信号を生成することによって、ディスクの回転に正確に同期した記録用クロック信号を生成するのである。
【０００６】
また、グルーブトラックがウォブリングしていることに加え、グルーブトラックに隣接するランドトラック上には所定の間隔でいわゆるプリピットが形成されている（ランドトラック上に形成されるプリピットであるため、「ランドプリピット（Ｌａｎｄ  Ｐｒｅ−Ｐｉｔ：ＬＰＰ）」とも呼ばれる。本明細書でも「ＬＰＰ」と呼ぶことがある。）。プリピットは、抽出ウォブル信号から生成された記録用クロック信号の位相調整のためにも使用される。プリピットはディスクの情報記録領域において所定の間隔で予め形成されているので、情報記録再生装置は、抽出ウォブル信号に基づいて記録用クロック信号を生成するとともに、プリピットの検出結果に基づいて記録用クロック信号の位相を調整する。こうして、情報記録再生装置は、ディスクに情報を記録するための正しい記録用クロック信号を生成し、それに基づいて情報の記録を行う。
【０００７】
上述のようなディスクにおいては、著作権に関する情報や不正コピーを防止するための情報などを含む情報が記録されたリードインエリアにおいて、情報記録用のグルーブトラックが不連続（間欠的）に形成されているものがある。即ち、情報を記録するためのデータエリアなどにおいてはグルーブトラックが連続的に形成されているが、上記の領域においてはグルーブトラックが不連続に形成された結果、ディスク面上に繰り返し凹凸が形成されたような形状となっている。
【０００８】
ＤＶＤ−ＲＷなどの未記録ディスクでは、リードインエリア内のエンボスエリアに上述の不正コピー防止のための情報などの重要な情報が予め記録されており、その情報はもちろん読取可能である。しかし、エンボスエリア内では、そのような情報を不正に書き換えようと所定の情報を記録した場合でも、記録用のグルーブトラックは間欠的に形成されているので、上書きした情報を正しく再生することはできない。これにより、不正コピーの防止その他に関連する重要な情報が書き換えされることを防止するようにしている。
【０００９】
次に、上述のＤＶＤ−ＲＷの記録フォーマットについて具体的に説明する。図１（ａ）はＤＶＤ−ＲＷの断面を模式的に示した図であり、ディスクの内周側から外周側に向かって、リードインエリア５１、データエリア５２及びリードアウトエリア５３が設けられる。リードインエリア５１は各種の制御情報及び管理情報などを記録する領域であり、データエリア５２は映像情報その他の記録情報を記録する領域であり、リードアウトエリア５３はデータエリア５２の最外周部を規定する領域である。
【００１０】
図１（ｂ）にリードインエリア５１のより詳細なデータ構造を示す。リードインエリア５１は、ディスクの内周側から、イニシャルゾーン５１１、バッファゾーン５１２、ＲＷ物理フォーマット情報ゾーン５１３、リファレンスコードゾーン５１４、バッファゾーン５１５、コントロールデータゾーン５１６、及び、エキストラボーダーゾーン５１９を含む。
【００１１】
コントロールデータゾーン５１６は、ディスク内周側のコントロールデータブロック５１７と、その外周側のサーボブロック５１８とを含む。コントロールデータゾーン５１６内は、情報記録用のグルーブトラック上に前述のエンボスピットがディスクの周方向（接線方向）に間欠的（不連続）に形成されたエンボスエリアとなっている。
【００１２】
なお、コントロールデータブロック５１７は、リーダブル部となっており、サーボブロック５１８は、アンリーダブル部となっているため、以下、便宜上、それぞれをリーダブルエンボスエリア５１７及びアンリーダブルエンボスエリア５１８と記すこととする。
【００１３】
このうち、リーダブルエンボスエリア５１７には、例えば著作権情報、不正コピー防止のための情報などのコントロールデータが工場出荷時などに予め記録される。これらのコントロールデータは、光ディスクの記録再生装置により読み取り可能な深いエンボスピットに記録されている。しかし、リーダブルエンボスエリア５１７には、エンボスピットが間欠的に形成されているので、コントロールデータを上書きしたとしても、それを正しく読み取ることができない。その結果、コントロールデータを不正に書き換えることが防止される。なお、大半のＤＶＤ−ＲＷには、このリーダブルエンボスエリア５１７におけるランドトラックＬ上にプリピットが形成されていない。
【００１４】
一方、アンリーダブルエンボスエリア５１８は、そのエリアに上書き記録された情報の読み出しを妨げるため、浅いエンボスピットにより形成されている。また、このアンリーダブルエンボスエリア５１８におけるランドトラックＬ上には、データエリアのランドトラック上と同様にプリピットが形成されている。なお、このアンリーダブルエンボスエリア５１８におけるプリピットは、アンリーダブルエンボスエリア５１８に続くエキストラボーダーゾーン５１９へ情報を書き込むためのクロック同期を確立する目的で設けられている。ＤＶＤ−ＲＷに対して情報を書き込む場合には、抽出ウォブル信号及びプリピットの検出信号から生成される記録用クロック信号に基づいて情報が記録される。しかし、プリピットは不連続に形成されているので、ＤＶＤ−ＲＷのある程度の長さの領域を読み取って複数個のプリピットを読み取らないと、正しい位相の記録用クロック信号を生成することができない。
【００１５】
一方、エキストラボーダーゾーン５１９に情報を記録するためには、エキストラボーダーゾーン５１９の先頭において、正しい記録用クロック信号が生成されていなければならない。このため、エキストラボーダーゾーン５１９の直前にアンリーダブルエンボスエリア５１８を設け、そこで複数個のプリピットを検出して正しい記録用クロック信号を生成する。こうして、記録用光ビームがエキストラボーダーゾーン５１９の先頭に至った時には既に正しい記録用クロック信号が生成されているようにしている。
【００１６】
このため、アンリーダブルエンボスエリア５１８内には情報は記録されておらず、単にプリピットが所定の規則に従って形成されている。よって、情報記録再生装置は、アンリーダブルエンボスエリア５１８内のプリピットを読み取ることにより、後述する正しい位相の記録用クロック信号を生成し、その記録用クロック信号に基づいてエキストラボーダーゾーン５１９へ情報の記録を行う。
【００１７】
【発明が解決しようとする課題】
上述のように、コントロールデータゾーン内のリーダブルエンボスエリア内にはプリピットを形成していない。これは、エンボスエリア内のエンボスピットとプリピットとが相互に干渉してしまい、両者を正しく読み取ることができないことが多いからである。そのため、リーダブルエンボスエリアに続いて、プリピットを読み取る目的のためにわざわざアンリーダブルエンボスエリアを設けている。
【００１８】
しかしながら、アンリーダブルエンボスエリアは製造上の条件が厳しい。具体的には、▲１▼プリピット信号のレベルを確保してプリピット信号を正しく読み取りできるようにする、▲２▼記録装置によってトラッキング制御を行えるようにプッシュプル信号を正しく出力可能とする、▲３▼再生装置によってトラッキング制御を行えるように、ＤＰＤ（Ｄｉｆｆｅｒｅｎｔｉａｌ  Ｐｈａｓｅ  Ｄｅｔｅｃｔｉｏｎ）信号（ＤＶＤ−ＲＯＭにおけるトラッキングサーボ方式の１つ）を正しく出力可能とする、といういくつかの条件を同時に満足する必要がある。このため、アンリーダブルエンボスエリア内では、プリピット信号、プッシュプル信号及びＤＰＤ信号の各レベルが規格値を満足するように、ディスク上にグルーブよりも深く、かつ、エンボスピットよりも浅いピットを形成しており、そのためにカッティング時に非常に細かな調整を必要とする。
【００１９】
また、ＤＶＤ−ＲＷディスク内に、上述のコントロールデータゾーン以外にも何らかの目的でＲＯＭエリアを形成するような新たなフォーマットを想定した場合、ＲＯＭエリアであるリーダブルエンボスエリアの後には、上述のコントロールデータゾーンの場合と同様に必ずアンリーダブルエンボスエリアを形成する必要が生じてしまう。アンリーダブルエンボスエリアは、前述のように後続の記録エリアへの記録用クロック生成のために設けるものであり、そのエリア内に情報の記録ができない。つまり、アンリーダブルエンボスエリア分はディスクの記録容量が減少してしまうことになる。
【００２０】
本発明が解決しようとする課題としては、以上のようなものが例として挙げられる。
【００２１】
【課題を解決するための手段】
請求項１に記載の発明は、グルーブと、該グルーブに隣接するプリピットとが形成された情報記録媒体において、前記グルーブは、所定深さのピット及びスペースからなるエンボス形状が形成されたエンボスエリアを備え、前記エンボスエリア内における前記プリピットは、当該プリピットが隣接する前記ピットの長さ又は前記スペースの長さに応じて最適化された形状を有することを特徴とする。
【００２２】
【発明の実施の形態】
本発明の好適な実施の形態では、情報記録媒体上にグルーブトラックとランドトラックとが交互に螺旋状に形成される。情報記録媒体は、例えばＤＶＤ−ＲＷなどの光ディスクを含む。グルーブトラックは、記録情報に対応するピットを形成するためのトラックとして機能する。グルーブトラックに隣接するランドトラック上には、ディスク上のトラックの位置情報等を示すプリ情報がプリピットの形態で形成される。このプリピットは、ランドトラック上に形成されるので、ランドプリピット（ＬＰＰ）とも呼ばれる。
【００２３】
また、情報記録媒体上には、例えば著作権情報、不正コピー防止のための情報などのコントロールデータを書換不能に記録するためのエンボスエリアが形成される。エンボスエリア内には、所定深さのピット及びスペースからなるエンボス形状が形成される（これらのピット及びスペースを、エンボスエリア内のピット及びスペースという意味で特に「エンボスピット」及び「エンボススペース」とも呼ぶ。）。エンボスエリア内の記録データは光ディスクの記録再生装置により読み取り可能であるが、エンボスエリア内にはエンボスピットが間欠的に形成されているので記録データを上書きしたとしても、それを正しく読み取ることができない。その結果、コントロールデータを不正に書き換えることが防止される。
【００２４】
ここで、本発明の好適な実施態様では、エンボスエリア内に形成されるプリピットは、当該プリピットが隣接するエンボスピット又はエンボススペースの長さに応じて最適化された形状を有するように形成される。これにより、エンボスエリア内にエンボス形状に加えてプリピットを形成した場合でも、エンボス形状とプリピットとの干渉を防止することができる。ここで、最適化されたプリピット形状とは、例えばそのプリピット部分の読み取り信号から得られるＲＦ信号中に含まれる歪みが最小、即ちほとんどゼロとなる形状である。
【００２５】
より具体的には、エンボスエリア内に形成するプリピット形状の最適化は、プリピットシフト及びプリピット深さにより行うことができる。プリピットシフトとは、グルーブトラックの長さ方向に垂直な方向、つまり、ディスクの半径方向におけるプリピットの長さ（又は幅）を示す。即ち、エンボスピット長又はエンボススペース長に応じて、プリピットシフト及びプリピットの深さを最適化してプリピットを形成すれば、エンボス形状とプリピットとの干渉を防止することができる。
【００２６】
最適化の１つの好適な例では、プリピットシフトをエンボスピット長及びエンボススペース長に拘わらず固定値とし、プリピット深さをエンボスピット長又はエンボススペース長に応じて最適な値に設定することができる。この例では、ディスク上へのピット形成時にプリピットの深さのみを制御すれば済むので、ディスク製造が比較的容易となる利点を有する。
【００２７】
【実施例】
以下、図面を参照して本発明の好適な実施例について説明する。
【００２８】
［ディスク構造］
図２に、本発明による記録媒体の実施例であるＤＶＤ−ＲＷの構造を示す。なお、図２は、その構造を分かり易くするため、ＤＶＤ−ＲＷの一部を、ディスク記録面側から見た斜視図を示している。
【００２９】
図２において、ＤＶＤ−ＲＷ１００はデータ記録層としての記録層３１を備えた書き換え可能な相変化型ディスクであり、そのディスク基板にはレーザビーム等のビームを誘導するためのガイド用トラックとしてのグルーブトラックＧが形成され、ここにデータが記録される。また、グルーブトラックＧとグルーブトラックＧとの間の領域をランドトラックＬと呼ぶ。ランドトラックＬにはプリ情報に対応するランドプリピット（ＬＰＰ）が形成されている。このＬＰＰはＤＶＤ−ＲＷ１００を出荷する前に予め形成されているものである。
【００３０】
グルーブトラックＧ及びランドトラックＬはポリカーボネート基板３７に形成され、図２におけるポリカーボネート基板３７の下方に保護層３５が設けられ、保護層３５の下方に記録層３１が形成されている。また、記録層３１の下方には保護層３６、保護層３６の下には反射層３９、反射層３９の下には基板３８がそれぞれ形成されている。
【００３１】
また、図２に示すリーダブルエンボスエリアＥＢにおいては、グルーブトラックＧ上にエンボスピットＥＰが形成されるとともに、ランドトラックＬ上にＬＰＰが形成されている。エンボスピットの間の領域がエンボススペースＥＳを構成する。本発明の記録媒体では、詳細は後述するが、エンボスピット長又はエンボススペース長に応じてＬＰＰの形状を最適化することにより、リーダブルエンボスエリアＥＢ内にもＬＰＰを設けることを可能としている。
【００３２】
より詳細には、図示のように、リーダブルエンボスエリアＥＢ内のグルーブトラックＧ上には、エンボスピットＥＰとエンボススペースＥＳとが交互に形成されている。なお、エンボスピット長をＬｅで示し、エンボススペース長をＬｓで示す。また、リーダブルエンボスエリアＥＢ内のランドトラックＬ上には、ＬＰＰが形成されている。ＬＰＰはエンボスピットＥＰ及びエンボススペースＥＳのいずれに隣接して形成することもできる。図２におけるＬＰＰ１はエンボスピットＥＰに隣接して設けられたＬＰＰの例であり、ＬＰＰ２はエンボススペースＥＳに隣接して設けられたＬＰＰの例である。なお、リーダブルエンボスエリアＥＢ内におけるエンボススペースＥＳの深さ（図２においては高さ）Ｈｓは、データエリアにおけるグルーブトラックＧの深さＨｇと等しい。
【００３３】
なお、図２においては便宜上図示していないが、ＤＶＤ−ＲＷ１００においては、グルーブトラックＧをディスクの回転速度に対応する周波数でウォブリングさせている。このウォブリングされたグルーブトラックＧは、上記ＬＰＰと同様に、ＤＶＤ−ＲＷ１００を出荷する前に予め形成されるものである。
【００３４】
そして、ＤＶＤ−ＲＷ１００に記録情報（プリ情報以外の本来記録するべき画像情報等の情報をいう。以下同じ。）を記録する際には、後述の情報記録再生装置によってこのグルーブトラックＧのウォブリング周波数を抽出することによりＤＶＤ−ＲＷ１００を所定の回転速度で回転制御する。また、ＬＰＰを検出することにより予めプリ情報を取得し、それに基づいて記録光としての光ビームの最適出力等が設定されると共に、記録情報を記録すべきＤＶＤ−ＲＷ１００上の位置を示すアドレス情報等が取得され、このアドレス情報に基づいて記録情報が対応する記録位置に記録される。
【００３５】
なお、グルーブトラックＧ及びランドトラックＬとの呼び名は、ベースとしての基板３７側から見て凹部をグルーブトラックＧと呼び、凸部をランドトラックＬと呼んでいることを付記しておく。
【００３６】
［ＬＰＰ信号及びＲＦ信号］
本発明は、リーダブルエンボスエリア内にエンボスピットとＬＰＰを、相互干渉なく共存させるために、エンボスピット長及びエンボススペース長に応じてＬＰＰの形状を最適化する点に特徴を有するが、その最適化の方法の説明に先立ち、ＬＰＰ信号及びＲＦ信号について簡単に述べておく。
【００３７】
図３に、ＬＰＰが形成されたディスク１０とＬＰＰ信号との関係を模式的に示す。ディスク１０は、例えばＤＶＤ−Ｒ、ＤＶＤ−ＲＷなどであり、その記録面上にはグルーブＧとランドＬとが交互に螺旋状に形成されている。グルーブＧは情報を記録するための記録トラックとして機能し、隣接するグルーブＧ間にランドＬが形成されている。ランドＬ上には、所定の規則に従ってＬＰＰが形成されている。具体的には、あるグルーブＧに対して、そのディスク１００上のアドレス情報等が、当該グルーブＧの外周側のランドＬ上に形成されたＬＰＰに記録されている。
【００３８】
ＬＰＰは、図３に示す４分割光検出器ＰＤにより検出することができる。４分割光検出器ＰＤは、４つの検出面Ａ〜Ｄを有し、それぞれがディスクからの受光量を光電変換して得られる検出信号Ｓａ〜Ｓｄを出力する。各検出面Ａ〜Ｄからの検出信号Ｓａ〜Ｓｄは、３つの加算器４１〜４３により演算され、ＬＰＰ信号が生成される。ＬＰＰ信号は以下の式で与えられる：
ＬＰＰ信号  ＝  （Ｓａ＋Ｓｄ）−（Ｓｂ＋Ｓｃ）              （式１）
４分割光検出器ＰＤは、情報記録装置又は情報再生装置内のピックアップ内に設けられる。情報記録装置又は情報再生装置のトラッキングサーボ機構により、４分割光検出器ＰＤの検出面Ａ及びＤと検出面Ｂ及びＣとの境界が記録トラック（グルーブ）Ｇの中央をトレースするように制御された状態で、検出信号Ｓａ〜Ｓｄを使用して式１に示す演算を行うことにより、ＬＰＰの存在を示すプリピット信号であるＬＰＰ信号が得られる。
【００３９】
なお、ＬＰＰはある記録トラックＧに対して、その内周側及び外周側のランド上に存在しうる。ある記録トラックＧに対して、外周側に存在するＬＰＰは式１により負の検出信号として検出され、内周側に存在するＬＰＰは式１により正の検出信号として検出されることになる。
【００４０】
一方、ＲＦ信号は、ディスク１００に記録された記録情報の信号であり、具体的にはディスク１００に形成された記録ピット（記録マーク）の有無により得られる信号である、ＲＦ信号は、図３に示すように以下の式で与えられる：
ＲＦ信号  ＝  （Ｓａ＋Ｓｄ）＋（Ｓｂ＋Ｓｃ）              （式２）
式１から理解されるように、ＬＰＰ信号は４分割光検出器ＰＤの半径方向のプッシュプル信号（ラジアルプッシュプル信号）により得られる。また、ＲＦ信号は４分割光検出器の各検出面Ａ〜Ｄからの検出信号Ｓａ〜Ｓｄの総和である。
【００４１】
［ＬＰＰ形状の最適化］
次に、リーダブルエンボスエリア内にエンボスピットとＬＰＰを、相互に干渉することなく共存させるために、エンボスピット長及びエンボススペース長に応じてＬＰＰの形状を最適化する方法について説明する。リーダブルエンボスエリア内のエンボスピットＥＰは前述のように例えば不正コピー防止用情報などの情報を記録したピットであるので、エンボスピットＥＰを正しく読み取るためには、エンボスピットＥＰに対応した正しいレベルのＲＦ信号が得られることが要求される。一方、ＬＰＰを正しく読み取るためには、ＬＰＰに対応した正しいレベルのＬＰＰ信号が得られることが要求される。よって、エンボスピットとＬＰＰとを相互に干渉することなく読み取ることを可能とするためには、エンボスピットＥＰに隣接してＬＰＰが形成された領域において、ＲＦ信号とＬＰＰ信号の両方が正しいレベルを保持することが必要となる。
【００４２】
まず最初に、エンボスピットのみが形成され、ＬＰＰが形成されていない場合を考える。図４（ａ）はエンボスピットＥＰとして１４Ｔピットを形成したＤＶＤ−ＲＷ１００の一部分を模式的に示し、図４（ｂ）はそのときのＲＦ信号波形を示し、図４（ｃ）はそのときのＬＰＰ信号波形を示す。各波形から理解されるように、ＬＰＰが形成されていない場合には、ＬＰＰとエンボスピットとの干渉は当然生じないので、ＲＦ信号はエンボスピットに対応する正しいレベルを示し、ＬＰＰ信号レベルはゼロを維持する。
【００４３】
次に、同じエンボスピットに隣接してＬＰＰを形成した場合の一例を図５に示す。図５（ａ）はエンボスピットに隣接してＬＰＰを形成した領域を模式的に示し、図５（ｂ）はそのときのＲＦ信号波形を示し、図５（ｃ）はそのときのＬＰＰ信号波形を示す。なお、ＬＰＰの深さを３７ｎｍとし、ＬＰＰのシフト量（即ち、ＬＰＰのディスク半径方向における長さ）を０．４μｍとしている。この場合、図５（ｃ）に示すようにＬＰＰ信号は正しく得られているが、図５（ｂ）に示すようにＲＦ信号レベルはＬＰＰの影響を受けてレベルが部分的に増加している。
【００４４】
次に、図５の場合と同様にＬＰＰを設けるが、ＬＰＰ深さを変化させた場合を図６に示す。図６（ａ）はエンボスピットに対してＬＰＰを形成した領域を模式的に示し、図６（ｂ）はそのときのＲＦ信号波形を示し、図６（ｃ）はそのときのＬＰＰ信号波形を示す。なお、形成したＬＰＰは、ＬＰＰシフトは図５の場合と同様であるが、ＬＰＰ深さを７７ｎｍに変更している。この場合、図６（ｃ）に示すように、ＬＰＰ深さを大きくした分、ＬＰＰ信号レベルはさらに明確にＬＰＰの存在を示している。また、図６（ｂ）を図５（ｂ）と比較するとわかるように、ＬＰＰ深さを大きくすると、ＬＰＰがＲＦ信号レベルに与える影響の度合いは減少している。
【００４５】
次に、ＬＰＰ深さを図５の場合と同一として、ＬＰＰシフトを変えた場合を図７に示す。図７（ａ）はＬＰＰシフトを０．１６μｍとし、ＬＰＰ深さを３７ｎｍとしてＬＰＰを形成した領域を模式的に示し、図７（ｂ）はそのときのＲＦ信号波形を示し、図７（ｃ）はそのときのＬＰＰ信号波形を示す。図５と比較するとわかるように、ＬＰＰ深さを同一としてＬＰＰシフトを小さくすると、ＲＦ信号レベルに与えるＬＰＰの影響度は小さくなり、振幅は小さくなるもののＬＰＰ信号も正しく得られることがわかる。
【００４６】
次に、ＬＰＰシフトを０．１６μｍと小さくし、ＬＰＰ深さを７７ｎｍと大きくした場合を図８に示す。図８（ａ）はそのときのＬＰＰの領域を模式的に示し、図８（ｂ）はそのときのＲＦ信号波形を示し、図８（ｃ）はそのときのＬＰＰ信号波形を示す。図７と比較するとわかるように、ＬＰＰ深さを大きくすることにより、ＬＰＰが原因でＲＦ信号に生じる歪みは減少し、ＬＰＰ信号レベルも増大する。
【００４７】
以上の比較から、ＬＰＰシフト及びＬＰＰ深さを最適化することにより、ＲＦ信号及びＬＰＰ信号が正しく得られる、即ちエンボスピットとＬＰＰとの干渉を可能な限り減少させることができることが理解される。また、より具体的には、ＬＰＰシフトを小さくすることにより、ＬＰＰがＲＦ信号波形に与える影響（歪み量）を抑制することができると推測される。また、ＬＰＰ深さを大きくすることにより、ＬＰＰがＲＦ信号波形に与える影響をそれほど増大させることなく、ＬＰＰ信号を良好なレベルにできると推測される。
【００４８】
次に、エンボスピット長及びエンボススペース長との関係を説明する。上記の説明は、１４Ｔの長さのエンボスピットについて、ＬＰＰシフト及びＬＰＰ深さを変化させた場合を説明した。実際にはエンボスピット及びエンボススペースは３Ｔ〜１１Ｔ及び１４Ｔのいずれかの長さを採りうるので、各長さのエンボスピット又はエンボススペースに隣接してＬＰＰが形成された場合に、エンボスピット又はエンボススペースとＬＰＰとの干渉を防止する必要がある。そこで、各長さのエンボスピット及びエンボススペースに対してＬＰＰシフトとＬＰＰ深さを変えてＬＰＰ信号レベル及びＲＦ信号の歪み量がどのように変化するかをシミュレーションした。図９及び図１０はエンボスピットに隣接してＬＰＰを形成した場合のシミュレーション結果を示し、図１１及び図１２はエンボススペースに隣接してＬＰＰを形成した場合のシミュレーション結果を示す。
【００４９】
図９は３Ｔ〜１１Ｔ及び１４Ｔのエンボスピットについて、それぞれＬＰＰシフト及びＬＰＰ深さを変更した場合に得られるＬＰＰ信号レベルの変化を示した等高線図である。即ち、３Ｔ〜１１Ｔ及び１４Ｔの各エンボスピット長について得られるＬＰＰ信号レベルを、エリア１０ａ（０〜０．０５）、エリア１０ｂ（０．０５〜０．１）、エリア１０ｃ（０．１〜０．１５）、エリア１０ｄ（０．１５〜０．２）及びエリア１０ｅ（０．２〜０．２５）に分類し、各エリアの値を等高線図で示している。なお、図示の便宜上、エリアを示す符号１０ａ〜１０ｅは３Ｔ及び１４Ｔのエンボスピット長についてのみ図示している。
【００５０】
図１０は、３Ｔ〜１１Ｔ及び１４Ｔのエンボスピットについて、それぞれＬＰＰシフト及びＬＰＰ深さを変更した場合に得られるＲＦ信号の歪み量の変化を示した等高線図である。即ち、３Ｔ〜１１Ｔ及び１４Ｔの各エンボスピット長について得られるＲＦ信号の歪み量を、エリア１２ａ（−０．０４〜−０．０２）、エリア１２ｂ（−０．０２〜０）、エリア１２ｃ（０〜−０．０２）、エリア１２ｄ（０．０２〜０．０４）及びエリア１２ｅ（０．０４〜０．０６）に分類し、各エリアの値を等高線図で示している。なお、図示の便宜上、エリアを示す符号１２ａ〜１２ｅは３Ｔ及び１４Ｔのエンボスピット長についてのみ図示している。
【００５１】
図１１は３Ｔ〜１１Ｔ及び１４Ｔのエンボススペースについて、それぞれＬＰＰシフト及びＬＰＰ深さを変更した場合に得られるＬＰＰ信号レベルの変化を示した等高線図である。即ち、３Ｔ〜１１Ｔ及び１４Ｔの各エンボスピット長について得られるＬＰＰ信号レベルを、エリア１４ａ（０〜０．０５）、エリア１４ｂ（０．０５〜０．１）、エリア１４ｃ（０．１〜０．１５）、エリア１４ｄ（０．１５〜０．２）、エリア１４ｅ（０．２〜０．２５）、エリア１４ｆ（０．２５〜０．３）及びエリア１４ｇ（０．３〜０．３５）に分類し、各エリアの値を等高線図で示している。なお、図示の便宜上、エリアを示す符号１４ａ〜１４ｇは３Ｔ及び１４Ｔのエンボススペース長についてのみ図示している。
【００５２】
図１２は、３Ｔ〜１１Ｔ及び１４Ｔのエンボススペースについて、それぞれＬＰＰシフト及びＬＰＰ深さを変更した場合に得られるＲＦ信号の歪み量の変化を示した等高線図である。即ち、３Ｔ〜１１Ｔ及び１４Ｔの各エンボススペース長について得られるＲＦ信号の歪み量を、エリア１６ａ（−０．１４〜−０．１２）、エリア１６ｂ（−０．１２〜０−０．１）、エリア１６ｃ（−０．１〜−０．０８）、エリア１６ｄ（−０．０８〜−０．０６）、エリア１６ｅ（−０．０６〜−０．０４）、エリア１６ｆ（−０．０４〜−０．０２）、エリア１６ｆ（−０．０２〜０）、エリア１６ｈ（０〜０．０２）及びエリア１６ｉ（０．０２〜０．０４）に分類し、各エリアの値を等高線図で示している。なお、図示の便宜上、エリアを示す符号１６ａ〜１６ｉは３Ｔ及び１４Ｔのエンボススペース長についてのみ図示している。
【００５３】
図９〜図１２を参照すると、各エンボスピット長及びエンボススペース長について、ＬＰＰシフト及びＬＰＰ深さを変化させることにより、ＬＰＰ信号レベル及びＲＦ信号歪み量が変化することがわかる。よって、所望のＬＰＰ信号レベルが得られ、かつ、ＲＦ信号歪みがゼロとなるようにＬＰＰシフト及びＬＰＰ深さを最適化すれば、リーダブルエンボスエリア内にＬＰＰを形成しても、エンボスピット又はエンボススペースとＬＰＰとの干渉を防止することができることが理解される。
【００５４】
次に、この最適化の好適な一実施例について説明する。上述のように、ＬＰＰ信号レベル及びＲＦ信号歪みに影響を与えるパラメータとしてはＬＰＰシフトとＬＰＰ深さがある。ＬＰＰシフトは、ランドトラックＬ上に形成されるＬＰＰのディスク半径方向における長さを示す（図５参照）ので、ＬＰＰシフトが例えばランドトラック幅に近くなるほど長いと、ＬＰＰが隣のグルーブトラックＧ（図５における最も上のグルーブトラックＧ）上のピットの読み取りに影響を及ぼす可能性がある。そのような影響を排除するためには、ＬＰＰシフトは小さめに設定することが望ましい。よって、ここではＬＰＰシフトをランドトラック幅の１／２以下、一例として０．１６ｎｍに固定し、もう一方のパラメータであるＬＰＰ深さを変化させて所望のＬＰＰ信号レベル及びＲＦ信号歪み量を実現することとする。
【００５５】
図１３は、エンボスピットに隣接してＬＰＰを形成する場合で、ＬＰＰシフトを０．１６μｍに固定した条件で、ＲＦ信号の歪み量が０となるＬＰＰ深さ、及び、その時のＬＰＰ信号レベルを示したものである。図１３（ａ）はエンボスピットの各ピット長（３Ｔ〜１１Ｔ及び１４Ｔ）についての数値を示し、図１３（ｂ）は図１３（ａ）の数値を、横軸にエンボスピット長、縦軸にＬＰＰ深さをとって示したものである。
【００５６】
図１３（ａ）に示す値の決定方法をより詳細に説明すると、エンボスピットに隣接してＬＰＰを形成する場合であるので、図９及び図１０を使用する。ＬＰＰシフトを０．１６μｍに固定しているので、図１０に示す各エンボスピット長の等高線図上で、ＬＰＰシフト＝０．１６μｍのときにＲＦ信号歪み量が０となるＬＰＰ深さの値を見つける。図１０においては、エリア１２ｂ（ＲＦ信号歪み量：−０．０２〜０）とエリア１２ｃ（ＲＦ信号歪み量：０〜０．０２）の境界線上がほぼＲＦ信号歪み量＝０を示すので、エリア１２ｂと１２ｃの境界線上でＬＰＰシフト＝０．１６μｍの点のＬＰＰ深さを取得すればよい。この作業を図１０に示す全てのエンボスピット長に対して行い、図１３（ａ）に示すＬＰＰ深さの値（５５、６３、．．．７７）が得られる。こうして得られたＬＰＰ深さをエンボスピット長毎に示したのが図１３（ｂ）のグラフである。
【００５７】
次に、図９を使用し、各エンボスピット長について、上述のようにして得られたＬＰＰ深さとＬＰＰシフト＝０．１６μｍとの交点におけるＬＰＰ信号レベルを取得すると、図１３（ａ）に示すように、０．０９６、０．０９５、．．．０．０９０となる。これらのＬＰＰ信号レベルの値は、ＬＰＰの有無の検出という目的からはほぼ許容範囲内であるといえる。
【００５８】
このように、ＬＰＰシフトを０．０１６μｍに固定しても、ＬＰＰ深さを図１３（ｂ）に示すように各エンボスピット長毎に最適化すれば、ＲＦ信号歪みを全てゼロに維持し、かつ、ＬＰＰ信号レベルもＬＰＰの検出に支障の無いレベルに維持することが可能となる。よって、図１３（ｂ）に示すようなＬＰＰ深さで各エンボスピットを形成すれば、リーダブルエンボスエリア内に、エンボスピットとＬＰＰとの干渉を生じることなくＬＰＰを形成することが可能となる。
【００５９】
図１１及び図１２を用いて同様の方法で最適なＬＰＰ深さを求めた結果が図１４に示されている。即ち、図１２においてＬＰＰシフト＝０．１６μｍに固定してＲＦ信号歪み量がゼロとなるときのＬＰＰ深さを求めたものを図１４（ａ）のＬＰＰ深さの欄及び図１４（ｂ）のグラフに示している。また、そのＬＰＰ深さにおけるＬＰＰ信号レベルを図１１を参照して求めたものを図１４（ａ）のＬＰＰ信号レベルの欄に示している。これらＬＰＰ信号レベル（０．９５、０．９９、．．．０．１１０）もＬＰＰ検出上許容範囲内であると言える値である。
【００６０】
従って、リーダブルエンボスエリア内のエンボススペースに隣接してＬＰＰを形成する場合でも、ＬＰＰシフトを０．１６μｍに固定し、図１４（ｂ）に示すようにＬＰＰ深さを各エンボススペース長に対して最適化すれば、ＬＰＰとの干渉を防止することができる。
【００６１】
また、この例では、エンボスピット長、スペース長によるＬＰＰ信号のレベル変化が少なく、０．０９０〜０．１１０の範囲であるから、ＬＰＰ検出が容易になるという効果もある。
【００６２】
以上説明した実施例では、ＬＰＰシフトを０．１６μｍに固定しているが、ＬＰＰシフトをこれ以外の値に固定してＬＰＰ深さを最適化することももちろん可能である。また、逆にＬＰＰ深さを固定とし、ＬＰＰシフトを変化させることも可能である。さらには、ＬＰＰシフト及びＬＰＰ深さの両方の値を同時に最適化することにより、ＲＦ信号歪み量をゼロに維持し、かつ、ＬＰＰ信号レベルを各ピット長又はスペース長に対して完全に一致させることも可能である。なお、いずれの手法を採用するかは、実際にディスク上にエンボスピットやエンボススペースをカッティングする際のカッティング装置の精度や制御の可否などに依存して決定すべきである。
【００６３】
以上説明したように、リーダブルエンボスエリア内にＬＰＰを設ける際には、エンボスピット長又はエンボススペース長に応じてＬＰＰシフト及びＬＰＰ深さを最適化することにより、エンボスピット又はエンボススペースとＬＰＰとの干渉を防止することができる。よって、ＬＰＰ検出のみの目的で前述のアンリーダブルエンボスエリアを設ける必要はなくなる。これにより、１つのディスク内で深さの異なるエリアは２種類だけになり、好ましいプッシュプル信号やＤＰＤ信号レベルが得られやすくなるので、ディスクスタンパ作成時のカッティングが非常に容易になる。
【００６４】
また、ＤＶＤ−ＲＷディスクにＲＯＭエリアを作成する場合でも、アンリーダブルエンボスエリアをＲＯＭエリア毎に設ける必要がないため、ディスク容量を無駄に使用することがなくなる。なお、ＤＶＤ−Ｒディスクのコントロールデータをプリライトの代わりにリーダブルエンボスの形態で形成する場合でも、上記の方法を適用することが可能である。
【図面の簡単な説明】
【図１】ＤＶＤ−ＲＷディスクの記録フォーマットを示す図である。
【図２】本発明の実施例にかかるＤＶＤ−ＲＷのピット形成状態を示す図である。
【図３】ＬＰＰ信号及びＲＦ信号の生成方法を模式的に示す図である。
【図４】エンボスピットに隣接してＬＰＰを設けない場合のディスク上のピット形成状態、ＲＦ信号波形及びＬＰＰ信号波形を示す。
【図５】エンボスピットに隣接してＬＰＰを設けた場合のディスク上のピット形成状態、ＲＦ信号波形及びＬＰＰ信号波形を示す。
【図６】エンボスピットに隣接してＬＰＰを設けた他の場合のディスク上のピット形成状態、ＲＦ信号波形及びＬＰＰ信号波形を示す。
【図７】エンボスピットに隣接してＬＰＰを設けた他の場合のディスク上のピット形成状態、ＲＦ信号波形及びＬＰＰ信号波形を示す。
【図８】エンボスピットに隣接してＬＰＰを設けた他の場合のディスク上のピット形成状態、ＲＦ信号波形及びＬＰＰ信号波形を示す。
【図９】エンボスピットに隣接して、ＬＰＰシフト及びＬＰＰ深さを変えてＬＰＰを形成した場合のＬＰＰ信号レベルの変化をエンボスピット長毎に示したグラフである。
【図１０】エンボスピットに隣接して、ＬＰＰシフト及びＬＰＰ深さを変えてＬＰＰを形成した場合のＲＦ信号歪み量の変化をエンボスピット長毎に示したグラフである。
【図１１】エンボススペースに隣接して、ＬＰＰシフト及びＬＰＰ深さを変えてＬＰＰを形成した場合のＬＰＰ信号レベルの変化をエンボススペース長毎に示したグラフである。
【図１２】エンボススペースに隣接して、ＬＰＰシフト及びＬＰＰ深さを変えてＬＰＰを形成した場合のＲＦ信号歪み量の変化をエンボススペース長毎に示したグラフである。
【図１３】エンボスピットに隣接して、ＬＰＰシフトを固定してＬＰＰを形成した場合の最適なＬＰＰ深さ、及びそのときのＬＰＰ信号レベルを示す。
【図１４】エンボススペースに隣接して、ＬＰＰシフトを固定してＬＰＰを形成した場合の最適なＬＰＰ深さ、及びそのときのＬＰＰ信号レベルを示す。
【符号の説明】
３１  記録層
３５  保護層
３８  基板
１００  ＤＶＤ−ＲＷ
Ｇ  グルーブトラック
Ｌ  ランドトラック
ＥＢ  リーダブルエンボスエリア
ＥＰ  エンボスピット
ＥＳ  エンボススペース
【図１】
2004158068.tif 000003
【図２】
2004158068.tif 000004
【図３】
2004158068.tif 000005
【図４】
2004158068.tif 000006
【図５】
2004158068.tif 000007
【図６】
2004158068.tif 000008
【図７】
2004158068.tif 000009
【図８】
2004158068.tif 000010
【図９】
2004158068.tif 000011
【図１０】
2004158068.tif 000012
【図１１】
2004158068.tif 000013
【図１２】
2004158068.tif 000014
【図１３】
2004158068.tif 000015
【図１４】
2004158068.tif 000016